(57)【要約】【課題】相手側ハウジングとのガタつきや電線のバタつきによる接点摺動を抑制することができるコネクタを提供する。【解決手段】コネクタ１０は、外側ハウジング７０と、外側ハウジング７０に対して所定の可動域でコネクタ前後方向に移動可能となるように、外側ハウジング７０に収容される内側ハウジング６０と、端子２０と、を備える。端子２０は、先端部５０と、基端部３０と、先端部５０と基端部３０との間に位置するバネ部４０と、を有している。先端部５０は、接続対象物９４と接触する接触部５２と、内側ハウジング６０に保持される先端側被保持部５１と、を有しており、基端部３０は、電線接続部３１と、外側ハウジング７０に保持される基端側被保持部３２と、を有している。【選択図】図８
2018206466.tif 000002
【特許請求の範囲】
【請求項１】
接続対象物を保持する相手側ハウジングに嵌合する外側ハウジングと、
前記外側ハウジングに対して所定の可動域でコネクタ前後方向に移動可能となるように、前記外側ハウジングに収容される内側ハウジングと、
前記外側ハウジングに収容される端子と、
を備えるコネクタであって、
前記端子は、先端部と、基端部と、前記先端部と前記基端部との間に位置するバネ部と、を有しており、
前記先端部は、コネクタ前後方向に挿抜される前記接続対象物と接触する接触部と、前記内側ハウジングに保持される先端側被保持部と、を有しており、
前記基端部は、電線と接続する電線接続部と、前記外側ハウジングに保持される基端側被保持部と、を有している、
コネクタ。
【請求項２】
前記外側ハウジングは、当該外側ハウジングのコネクタ後側の面に形成されていると共に前記内側ハウジングが収容されるハウジング収容部と繋がるハウジング組込口と、前記ハウジング収容部に設けられた係止部と、を有しており、
前記内側ハウジングは、当該内側ハウジングが前記ハウジング組込口から前記ハウジング収容部に向けて押し込まれる際に弾性変形すると共に、前記係止部に到達すると弾性変形が解除されて前記係止部に係止される被係止部を有しており、
前記被係止部が前記係止部に係止されることで、前記内側ハウジングのコネクタ後方向の移動範囲が制限される、
請求項１に記載のコネクタ。
【請求項３】
前記基端側被保持部は、前記外側ハウジングに圧入されることで前記外側ハウジングに保持され、
前記基端側被保持部は、当該基端側被保持部を圧入する際にコネクタ後方向からコネクタ前方向へ向けて押し込むための圧入肩部を有しており、
前記基端側被保持部は、前記電線接続部と前記バネ部との間に位置している、
請求項１又は請求項２に記載のコネクタ。
【請求項４】
前記外側ハウジングは、
前記基端部を収容する基端収容部の底面を貫通し、前記基端収容部と前記外側ハウジングの外部空間とを連通する治具挿入孔を有している、
請求項３に記載のコネクタ。
【請求項５】
前記接触部の挿抜軸は、前記電線接続部の電線接続軸と略平行で、かつ、コネクタ前後方向に直交する方向の位置がずれている、
請求項１〜請求項４の何れか一項に記載のコネクタ。
【請求項６】
前記バネ部は、前記接続対象物の挿入方向であるコネクタ後方向へ折り返された折返し部を含んで構成されている、
請求項５に記載のコネクタ。
【発明の詳細な説明】
【技術分野】
【０００１】
本発明は、コネクタに関する。
【背景技術】
【０００２】
従来、自動車等の内部配線の接続には、特許文献１（第８−９図）に開示されているようなコネクタが用いられている。
【０００３】
特許文献１に開示のコネクタ（コネクタＢ）は、ハウジング（第１ハウジング６０）と、このハウジングの内部に収容された端子（第１端子金具７０）と、を備えている。端子は、一端（端子接続部７１）で接続対象物（第２端子金具３０）と接触し、他端（電線接続部７２）で電線（電線５０）と接続する。ハウジングを相手側ハウジング（第２ハウジング２０）に嵌合させることで、端子の一端が接続対象物と導通接続するようになっている。
【先行技術文献】
【特許文献】
【０００４】
【特許文献１】特開２００４−２４１２４６号公報
【発明の概要】
【発明が解決しようとする課題】
【０００５】
しかしながら、このようなコネクタには、以下の問題点がある。
すなわち、ハウジングが相手側ハウジングに嵌合するものであるため、ハウジングが相手側ハウジングに対してガタつくことがある。その場合、相手側ハウジングに保持された接続対象物と、ハウジングに保持された端子との接点で摺動（以下、「接点摺動」）が起こるおそれがある。
また、端子の他端に接続された電線（ハーネス）は可撓性を有するため、電線がバタつくことがあり、その場合、電線のバタつきの影響が端子に伝わって接点摺動が起こるおそれがある。
接点摺動が起こると、例えば、端子や接続対象物のめっきの剥がれが懸念される。
【０００６】
本発明は、以上のような問題点に鑑みてなされたものであり、相手側ハウジングとのガタつきや電線のバタつきによる接点摺動を抑制することができるコネクタを提供することを目的とする。
【課題を解決するための手段】
【０００７】
第一の態様に係るコネクタは、接続対象物を保持する相手側ハウジングに嵌合する外側ハウジングと、前記外側ハウジングに対して所定の可動域でコネクタ前後方向に移動可能となるように、前記外側ハウジングに収容される内側ハウジングと、前記外側ハウジングに収容される端子と、を備えるコネクタであって、前記端子は、先端部と、基端部と、前記先端部と前記基端部との間に位置するバネ部と、を有しており、前記先端部は、コネクタ前後方向に挿抜される前記接続対象物と接触する接触部と、前記内側ハウジングに保持される先端側被保持部と、を有しており、前記基端部は、電線と接続する電線接続部と、前記外側ハウジングに保持される基端側被保持部と、を有している。
【０００８】
第一の態様に係るコネクタでは、端子が接続対象物と導通接続した状態で、外側ハウジングが相手側ハウジングに嵌合した状態となる。そのため、相手側ハウジングに対して外側ハウジングがコネクタ前後方向にがたつく可能性がある。
ここで、第一の態様に係るコネクタでは、端子の先端部が、コネクタ前後方向に挿抜される接続対象物と接触する接触部と、内側ハウジングに保持される先端側被保持部と、を有している。つまり、端子の先端部は、接続対象物と接触すると共に内側ハウジングに保持される。そして、先端部を保持する内側ハウジングが、外側ハウジングに対して所定の可動域でコネクタ前後方向に移動可能となる。
このため、外側ハウジングが相手側ハウジングに対してコネクタ前後方向にガタついた場合でも、内側ハウジングが、外側ハウジングに対してコネクタ前後方向に移動することで、接続対象物と接触部との接点摺動を抑制することができる。
【０００９】
また、端子の基端部は、電線と接続する電線接続部と、外側ハウジングに保持される基端側被保持部と、を有している。つまり、端子の基端部は、電線と接続すると共に外側ハウジングに保持される。そのため、電線のバタつきによる影響が端子の基端部に伝わる。
ここで、第一の態様に係るコネクタでは、端子が、先端部と基端部との間に位置するバネ部を有している。
このため、電線がバタつき、端子を押し込んだりひっぱったりしても、基端部と先端部との間に位置するバネ部が弾性変形することで、電線のバタつきから端子の先端部が影響を受けることを抑制することができる。よって、電線のバタつきによる接点摺動を抑制することができる。
【００１０】
第二の態様に係るコネクタは、第一の態様に係るコネクタにおいて、前記外側ハウジングは、当該外側ハウジングのコネクタ後側の面に形成されていると共に前記内側ハウジングが収容されるハウジング収容部と繋がるハウジング組込口と、前記ハウジング収容部に設けられた係止部と、を有しており、前記内側ハウジングは、当該内側ハウジングが前記ハウジング組込口から前記ハウジング収容部に向けて押し込まれる際に弾性変形すると共に、前記係止部に到達すると弾性変形が解除されて前記係止部に係止される被係止部を有しており、前記被係止部が前記係止部に係止されることで、前記内側ハウジングのコネクタ後方向の移動範囲が制限される。
【００１１】
第二の態様に係るコネクタでは、コネクタの組立時、外側ハウジングのコネクタ後側の面に形成されたハウジング組込口からハウジング収容部に向けて内側ハウジングを押し込むことで、内側ハウジングを外側ハウジングに収容させることができる。
この際、内側ハウジングの被係止部は、一旦弾性変形し、ハウジング収容部に形成された係止部に到達すると、弾性変形が解消されて係止部に係止される。内側ハウジングの被係止部が外側ハウジングの係止部に係止されることで、内側ハウジングのコネクタ後方向の移動範囲が制限される（つまり、内側ハウジングが外側ハウジングから抜け止めされる）ようになっている。
【００１２】
第三の態様に係るコネクタは、第一又は第二の態様に係るコネクタにおいて、前記基端側被保持部は、前記外側ハウジングに圧入されることで前記外側ハウジングに保持され、前記基端側被保持部は、当該基端側被保持部を圧入する際にコネクタ後方向からコネクタ前方向へ向けて押し込むための圧入肩部を有しており、前記基端側被保持部は、前記電線接続部と前記バネ部との間に位置している。
【００１３】
第三の態様に係るコネクタでは、基端側被保持部は、外側ハウジングに圧入されることで外側ハウジングに保持される。ここで、基端側被保持部を外側ハウジングに圧入するためには、治具等によって端子を押し込む必要がある。
ここで、端子の電線接続部を押し込むことで圧入することが考えられる。しかし、電線接続部では治具等で押し込む際に押す部分（圧入肩部）が小さくなりやすく、また、電線接続部は電線にかしめた部分となるため平坦でないことがある。そのため、正確に圧入することが困難である。また、圧入により、かしめた部分が変形、損傷するおそれもある。
そこで、第三の態様に係るコネクタでは、電線接続部とバネ部との間に基端側被保持部が位置しており、この基端側被保持部が、当該基端側被保持部を圧入する際にコネクタ後方向からコネクタ前方向へ向けて押し込むための圧入肩部を有している。このため、基端側被保持部を適切に圧入することができる。
【００１４】
第四の態様に係るコネクタは、第三の態様に係るコネクタにおいて、前記外側ハウジングは、前記基端部を収容する基端収容部の底面を貫通し、前記基端収容部と前記外側ハウジングの外部空間とを連通する治具挿入孔を有している。
【００１５】
第四の態様に係るコネクタでは、基端側被保持部の外側ハウジングに対する圧入が容易である。
すなわち、第三の態様に係るコネクタでは、電線接続部とバネ部との間に基端側被保持部が位置しているので、基端側被保持部の圧入肩部を電線側から押し込もうとしても、電線接続部が邪魔になりやすい。そこで、第四の態様に係るコネクタでは、外側ハウジングが、基端部を収容する基端収容部の底面を貫通し、基端収容部と外側ハウジングの外部空間とを連通する治具挿入孔を有している。このため、治具挿入孔から治具等を挿入することで、電線接続部に邪魔をされずに、基端側被保持部の圧入肩部を押し込むことができる。
【００１６】
第五の態様に係るコネクタは、第一〜第四の何れかの態様に係るコネクタにおいて、前記接触部の挿抜軸は、前記電線接続部の電線接続軸と略平行で、かつ、コネクタ前後方向に直交する方向の位置がずれている。
【００１７】
第五の態様に係るコネクタは、接触部の挿抜軸が、電線接続部の電線接続軸と略平行で、かつ、コネクタ前後方向（つまり挿抜軸）に直交する方向の位置がずれているため、コネクタの前後寸法の拡大を抑制しつつバネ部の変形のしやすさを確保することができる。
【００１８】
第六の態様に係るコネクタは、第五の態様に係るコネクタにおいて、前記バネ部は、前記接続対象物の挿入方向であるコネクタ後方向へ折り返された折返し部を含んで構成されている。
【００１９】
第六の態様に係るコネクタでは、挿抜軸と電線接続軸との位置がずれていることに加えて、基端部から先端部へと延びるバネ部が、コネクタ後方向へ折り返された折返し部を含んで構成されている。このため、バネ部の変形しやすさをより一層確保することができる。
【発明の効果】
【００２０】
以上説明したように、本発明は、相手側ハウジングとのガタつきや電線のバタつきによる接点摺動を抑制することができるという優れた効果を有する。
【図面の簡単な説明】
【００２１】
【図１】実施形態のコネクタを示す分解斜視図である。
【図２】内側ハウジングに端子を組付けた状態を示す斜視図である。
【図３】組立状態のコネクタを示す斜視図である。
【図４】電線と接続した端子を示す斜視図である。
【図５】内側ハウジングに端子を組付けた状態を示す背面図である（但し、最も左側の端子を省略している。）。
【図６】図５の６−６線断面図である。
【図７】図２と同じ状態を示す側方から見た断面図である。
【図８】図３と同じ状態（組立状態）のコネクタを示す側方から見た断面図である。
【図９】外側ハウジングの背面図である。
【図１０】組立状態のコネクタの背面図である。
【図１１】外側ハウジングの電線配置部を拡大して示す断面図（図８の１１−１１線断面図）である。
【図１２】外側ハウジングの端子保持部を拡大して示す断面図（図８の１２−１２線断面図）である。
【図１３】端子の基端側被保持部が途中まで圧入された状態を示す側方から見た断面図である。
【図１４】コネクタが相手側ハウジングに嵌合する前の状態を示す斜視図である。
【図１５】コネクタが相手側ハウジングに嵌合した状態を示す斜視図である。
【発明を実施するための形態】
【００２２】
以下、本発明の一実施形態に係るコネクタ１０について説明する。
【００２３】
＜コネクタ１０＞
図１に示すように、本実施形態のコネクタ１０は、外側ハウジング７０と、内側ハウジング６０と、複数（６つ）の端子２０と、を備える。内側ハウジング６０に複数の端子２０を組付け（図２参照）、その後、端子２０及び内側ハウジング６０を外側ハウジング７０に組付けることで、コネクタ１０が組み立てられる（図３参照）。
【００２４】
＜端子２０＞
以下、端子２０について説明する。複数の端子２０は、互いに同一の構成である。図４は、複数の端子２０のうちの１つの端子２０を示す斜視図である。図４には、電線８０と接続した状態の端子２０が示されている。
【００２５】
以下の端子２０についての説明では、図４に示される矢印Ｘを端子前方向、矢印Ｙを端子幅方向一方側（左方向）、矢印Ｚを端子上方向として説明する。また、特記なく前後、上下、幅（左右）という語を用いる場合は、端子前後方向の前後、端子上下方向の上下、端子幅（左右）方向の幅（左右）を示すものとする。なお、コネクタ１０が組み立てられた状態において、端子２０の前後、左右、上下方向は、コネクタ１０の前後、左右、上下方向と略一致する。
【００２６】
端子２０は、例えば、板材が打ち抜き加工された後、曲げ加工されることで形成される。端子２０の材質は、例えば、銅合金などの導電性を有する材質である。
【００２７】
端子２０は、その一端から他端へ向けて、基端部３０とバネ部４０と先端部５０とをこの順に有している。
【００２８】
（基端部３０）
基端部３０は、端子２０の後端２０Ｂから前方へ向けて直線状に延びている。基端部３０は、全体として幅方向両側が上方（板厚方向内面側）へ曲げられており、前後方向に直交する断面形状が上方に開放された略Ｕ字状または略Ｃ字状とされている。基端部３０は、その一端側から他端側へ向けて、電線接続部３１と基端側被保持部３２とをこの順に有している。
【００２９】
電線接続部３１は、電線８０と接続する部分である。電線接続部３１は、電線８０の被覆８４に圧着する被覆圧着部３１Ａと、電線８０の芯線８２に圧着する芯線圧着部３１Ｂと、を有している。
【００３０】
また、電線接続部３１は、芯線圧着部３１Ｂの他端側に連続して形成された補強部３１Ｃを有している。補強部３１Ｃは、上方に向けて開放された断面Ｕ字形状となっており、電線接続部３１を補強している。
【００３１】
基端側被保持部３２は、外側ハウジング７０に保持される部分である。基端側被保持部３２は、板厚方向を上下方向に向けた平板状とされており、幅方向両側に係止突起３２Ｋが形成されている。
【００３２】
電線接続部３１と基端側被保持部３２とを連結部３３が前後方向に連結している。連結部３３は、板厚方向を上下方向に向けており、前後方向に直線状に延びている。連結部３３は、その一端から他端まで同一の幅寸法となっており、その幅寸法は、電線接続部３１や基端側被保持部３２の幅寸法よりも小さく、具体的には３分の１以下の寸法である。
【００３３】
連結部３３の他端（前端）は、基端側被保持部３２の後端の幅方向中央部分に繋がっている。これにより、基端側被保持部３２の後端には、左右一対の圧入肩部３２Ｒが形成されている。左右一対の圧入肩部３２Ｒは、連結部３３を挟んで左右に形成されている。圧入肩部３２Ｒは端子後方向を向いた面であり、圧入肩部３２Ｒに治具等を当接させることで、基端側被保持部３２を前方へ向けて適切に押し込むことができるようになっている。
【００３４】
（バネ部４０）
バネ部４０は、他の部分と比較して容易に弾性変形するように構成されている。バネ部４０が弾性変形することで、先端部５０が基端部３０に対して前後左右上下方向に相対移動できる。
【００３５】
本実施形態のバネ部４０は、一端側から他端側へ向けて、第一直線部４１、傾斜部４２、第一曲部４３、第二直線部４４及び第二曲部４５をこの順に有している。バネ部４０はその一端から他端まで同一の幅寸法であり、その幅寸法は、基端側被保持部３２の幅寸法よりも小さく、具体的には３分の１以下の寸法である。
【００３６】
第一直線部４１は、基端側被保持部３２の前端の幅方向中央部分から前方へ延出している。第一直線部４１は、板厚方向を上下方向に向けており、一端から他端へ向けて前方向へ直線状に延びている。第一直線部４１の延在方向は、端子前後方向と平行である。第一直線部４１の他端側は、板厚方向内面側へ若干屈曲された屈曲部を介して、傾斜部４２に繋がっている。
【００３７】
傾斜部４２は、板厚方向を略上下方向に向けており、一端から他端へ向けて前方向に対して若干上方へ傾いた方向（前方かつ上方の斜め方向）に直線状に延びている。傾斜部４２の延在方向と端子前後方向との成す角度は、４５度未満の角度とされ、本実施形態では略２０度の角度とされている。傾斜部４２の延在方向他端側は、第一曲部４３に繋がっている。
【００３８】
第一曲部４３は、板厚方向内面側に曲げられており、前方へ凸の湾曲した形状となっている。第一曲部４３は、その一端から他端までで延在方向を略１６０度方向転換している。第一曲部４３の延在方向他端側は、第二直線部４４に繋がっている。
【００３９】
第二直線部４４は、板厚方向を上下方向に向けており、一端から他端へ向けて後方向へ直線状に延びている。第二直線部４４の延在方向は、端子前後方向と平行である。第二直線部４４の延在方向他端側は、第二曲部４５に繋がっている。
【００４０】
第二曲部４５は、板厚方向外面側に曲げられており、後方へ凸の形状となっている。具体的には、第二曲部４５は、略９０度曲げられた屈曲部４５Ｃを２つ含んで構成されている。第二曲部４５は、その一端から他端までで延在方向を略１８０度方向転換している。第二曲部４５の延在方向他端側は、先端部５０に繋がっている。
【００４１】
（先端部５０）
先端部５０は、先端側被保持部５１と、接触部５２と、を有している。先端側被保持部５１は、内側ハウジング６０に保持される部分である。接触部５２は、接続対象物９４（図８参照）と接触する部分である。
【００４２】
先端側被保持部５１は、前後方向に直交する断面形状が、左側に開放された略Ｕ字形状（略コの字形状）になっている。具体的には、先端側被保持部５１は、下板部５１Ｂと、下板部５１Ｂの右端から上方へ延びる右板部５１Ｒと、右板部５１Ｒの上端から左側へ延びる上板部５１Ｔと、から構成されている。このうち、下板部５１Ｂの後端の幅方向中央部分にバネ部４０が繋がっている。先端側被保持部５１の幅寸法は、バネ部４０の幅寸法よりも大きく、具体的には３倍以上の寸法である。
【００４３】
先端側被保持部５１の下板部５１Ｂの左端及び上板部５１Ｔの左端には、それぞれ、係止突起５１Ｋが形成されている。
【００４４】
接触部５２は、一対の接触片部５２Ａを有している。一対の接触片部５２Ａは、それぞれ、先端側被保持部５１の上板部５１Ｔ及び下板部５１Ｂの前端における幅方向中央から前方へ向けて延出している。一対の接触片部５２Ａが接続対象物９４に対して上下方向から接触することで、端子２０と接続対象物９４とが導通接続する。
【００４５】
＜内側ハウジング６０＞
次に、内側ハウジング６０について説明する。
【００４６】
以下の内側ハウジング６０についての説明では、矢印Ｘを内側ハウジング前方向、矢印Ｙを内側ハウジング幅方向一方側（左方向）、矢印Ｚを内側ハウジング上方向として説明する。また、特記なく前後、上下、幅（左右）という語を用いる場合は、内側ハウジング前後方向の前後、内側ハウジング上下方向の上下、内側ハウジング幅（左右）方向の幅（左右）を示すものとする。なお、コネクタ１０が組み立てられた状態において、内側ハウジング６０の前後、左右、上下方向は、コネクタ１０の前後、左右、上下方向と略一致する。
【００４７】
図１や図２に示すように、内側ハウジング６０は、端子２０の先端部５０が収容されると共に保持される先端収容部６２を有する。先端収容部６２は、端子２０の数に応じて複数（６つ）設けられ、内側ハウジング６０の幅方向に並んで形成されている。複数の先端収容部６２は、互いに同一の構造である。
【００４８】
図１に示すように、先端収容部６２は、内側ハウジング６０の後面６０Ｒで後方に向けて開口した空間である。この開口部分を先端組込口という。端子２０の先端部５０を先端組込口から先端収容部６２に差し込むことで、端子２０の先端部５０を内側ハウジング６０の先端収容部６２に収容させると共に保持させることができる（図２参照）。
【００４９】
図５は、内側ハウジング６０を後方から見た拡大図である。図６は、図５の６−６線断面図である。なお、複数の先端収容部６２のうち最も左側の先端収容部６２に対応する端子２０のみを省略している。
【００５０】
図５や図６に示すように、先端収容部６２は、略直方体形状の空間であり、上壁６２Ｔ、下壁６２Ｂ、左壁６２Ｌ、右壁６２Ｒ及び前壁６２Ｆを有する。
【００５１】
前壁６２Ｆには、接続対象物９４が挿入される接続対象物挿入孔６３が形成されている。接続対象物挿入孔６３は、前壁６２Ｆを前後方向に貫通しており、前後方向に直交する断面形状が矩形状である。図７に示すように、接続対象物挿入孔６３を前部と後部とに分けた場合の前部は、前方へ向かうに従い次第に拡大されたテーパ部６３Ｆとなっている。
【００５２】
図５や図６に示すように、先端収容部６２の左壁６２Ｌには、右方向へ向けて突出した突出部６２ＬＤが形成されている。突出部６２ＬＤは、左壁６２Ｌのうち上端部と下端部を除いた部分から右方向へ突出した略直方体形状の部分である。図６に示すように、突出部６２ＬＤは、先端組込口（先端収容部６２の後端）から前壁６２Ｆまで、先端収容部６２の前後方向全体に亘って形成されている。
図５に示すように、先端収容部６２に端子２０の先端部５０が保持された状態では、突出部６２ＬＤの上側に、端子２０の先端側被保持部５１の上板部５１Ｔの左端が配置され、突出部６２ＬＤの下側に、端子２０の先端側被保持部５１の下板部５１Ｂの左端が配置される。
【００５３】
図６に示すように、先端収容部６２の右壁６２Ｒには段差部６４が形成されており、先端収容部６２の幅寸法が段差部６４を挟んだ前後で変化している。これにより、先端収容部６２のおける段差部６４よりも前側（前部６２Ａ）では幅寸法が小さくなっており、段差部６４よりも後側（後部６２Ｂ）では幅寸法が大きくなっている。
更に詳細には、段差部６４は、先端収容部６２の後部６２Ｂの右壁６２Ｒに対して垂直に接続した垂直面６４Ａと、先端収容部６２の前部６２Ａの右壁６２Ｒに斜めに接続した角面６４Ｂと、から構成されている。角面６４Ｂは、先端収容部６２の前部６２Ａの右壁６２Ｒと、垂直面６４Ａとの間を面取りしたような斜めの面となっている。
【００５４】
また、先端収容部６２に端子２０の先端部５０が収容された状態では、先端収容部６２の後部６２Ｂの右壁６２Ｒに、先端側被保持部５１の右板部５１Ｒが接触している。他方、先端収容部６２の後部６２Ｂの左壁６２Ｌに、先端側被保持部５１の上板部５１Ｔ及び下板部５１Ｂの係止突起５１Ｋが食い込んでいる。これにより、先端側被保持部５１が内側ハウジング６０に圧入されて保持されている。
【００５５】
図１や図５に示すように、内側ハウジング６０の外形状は、幅方向に長い略直方体形状であるが、詳細には、内側ハウジング６０の下部は、それ以外の部分（下部よりも上側部分）に対して幅寸法が大きく形成されている。換言すると、内側ハウジング６０は、下部の幅広部６０Ｂと、下部以外の一般幅部６０Ａと、から構成されている。
【００５６】
また、内側ハウジング６０は、後述する外側ハウジング７０の係止部７５（図７、８参照）に係止される被係止部６５を有している。
【００５７】
本実施形態の被係止部６５は、内側ハウジング６０の上面６０Ｕ側であって幅方向中央部分に形成されている。具体的には、図２に示すように、内側ハウジング６０の上面６０Ｕには、その幅方向中央位置において下方へ窪んだ窪み部６６が形成されている。そして、窪み部６６の前後方向中間部分から被係止部６５が突出している。図７に示すように、被係止部６５は、後方へ延びるバネ片部６５Ａと、バネ片部６５Ａの先端（後端）に形成された本体部６５Ｂと、を備えている。本体部６５Ｂは、バネ片部６５Ａや内側ハウジング６０の上面６０Ｕに対して上方へ突出するように形成されている。本体部６５Ｂに下方向の荷重がかかることで、バネ片部６５Ａが弾性変形し、本体部６５Ｂが下方向へ変位するようになっている。
【００５８】
＜外側ハウジング７０＞
次に、外側ハウジング７０について説明する。
【００５９】
以下の外側ハウジング７０についての説明では、矢印Ｘを外側ハウジング前方向、矢印Ｙを外側ハウジング幅方向一方側（左方向）、矢印Ｚを外側ハウジング上方向として説明する。また、特記なく前後、上下、幅（左右）という語を用いる場合は、外側ハウジング前後方向の前後、外側ハウジング上下方向の上下、外側ハウジング幅（左右）方向の幅（左右）を示すものとする。なお、外側ハウジング７０の前後、左右、上下方向は、コネクタ１０の前後、左右、上下方向と一致する。
【００６０】
図７や図９に示すように、外側ハウジング７０は、後方へ向けて開口した空間である収容部７１を有している。外側ハウジング７０の後面７０Ｒの開口部分から収容部７１の奥へ向けて、複数の端子２０が組みつけられた内側ハウジング６０を差し込むことで、コネクタ１０が組み立てられる。
【００６１】
図９に示すように、収容部７１は、幅方向に繋がった収容上部７２と、複数（６つ）の空間に区画された収容下部７３と、から構成されている。
【００６２】
（収容上部７２）
図８や図１０に示すように、収容上部７２には、内側ハウジング６０が収容される。具体的には、図７や図８に示すように、内側ハウジング６０は、収容上部７２の後端のハウジング組込口７２ＲＲから差し込まれ、収容上部７２の後部７２Ｒを通過して、収容上部７２の前部７２Ｆに収容される。つまり、収容上部７２の前部７２Ｆが、内側ハウジング６０が収容されるハウジング収容部７２Ｆとなる。また、収容上部７２の後部７２Ｒが、内側ハウジング６０が通過するハウジング通過部７２Ｒとなる。
【００６３】
図９や図１０に示すように、収容上部７２を外側ハウジング７０の後側から見た場合、その形状は、内側ハウジング６０を後側から見た形状と略相似する形状となっている。すなわち、収容上部７２は、内側ハウジング６０の一般幅部６０Ａが通過すると共に収容される一般幅部７２Ａと、内側ハウジング６０の幅広部６０Ｂが通過すると共に収容される幅広部７２Ｂと、から構成されている。
【００６４】
収容上部７２は、ハウジング組込口７２ＲＲの形状を保ちながら、前方に向かって形成されている。すなわち、収容上部７２は、その前部であるハウジング収容部７２Ｆ、その後部であるハウジング通過部７２Ｒ、その後端であるハウジング組込口７２ＲＲのすべてにおいて略同一の断面形状（前後方向に直交する断面形状）となっている。但し、ハウジング組込口７２ＲＲには、内側ハウジング６０を誘い込むためのテーパ面（面取りした形状の面）が形成されている。
【００６５】
収容部７１の前端には前壁７１Ｆが形成されている。前壁７１Ｆには、接続対象物９４に対応する位置において、複数（６つ）の接続対象物挿入孔７４が形成されている。接続対象物挿入孔７４は、収容部７１の前壁７１Ｆを前後方向に貫通している。図７に示すように、接続対象物挿入孔７４を前部と後部とに分けた場合の前部は、前方に向かって次第に拡大するテーパ部７４Ｆとなっている。
【００６６】
図１０に示すように、収容上部７２の上下寸法と幅寸法は、共に、内側ハウジング６０の外形状の寸法に対して若干大きく形成されている。これにより、ハウジング収容部７２Ｆの上下寸法と幅寸法も、内側ハウジング６０の外形状の寸法に対して若干大きくなっている。このため、内側ハウジング６０は、外側ハウジング７０に対して所定の可動域で上下方向及び幅方向に移動可能となっている。
【００６７】
（係止部７５）
また、図７、８に示すように、収容上部７２の前部（ハウジング収容部７２Ｆ）には、係止部７５が形成されている。係止部７５は、ハウジング収容部７２Ｆの上壁７１Ｕ（の幅方向中央位置）を上下方向に貫通する孔である。
内側ハウジング６０が外側ハウジング７０に収容された状態では、係止部７５内に内側ハウジング６０の被係止部６５の本体部６５Ｂが配置される。このため、内側ハウジング６０が後方へ移動すると、被係止部６５の本体部６５Ｂが係止部７５に当接する。つまり、被係止部６５が係止部７５に係止されており、内側ハウジング６０の後方向の移動範囲が制限されている。つまり、内側ハウジング６０が外側ハウジング７０から抜け止めされている。
【００６８】
他方、内側ハウジング６０が前方へ移動すると、内側ハウジング６０が収容部７１の前壁７１Ｆに当接する。これにより、内側ハウジング６０の前方向の移動範囲が制限されている。
【００６９】
その結果、内側ハウジング６０は、外側ハウジング７０に対して所定の可動域で前後方向に移動可能となっている。
【００７０】
図８、１０に示すように、接続対象物９４と接続されていない自由な状態（以下、自由状態という。）では、内側ハウジング６０は、端子２０によって、収容上部７２内に浮遊させられた状態となる。換言すると、自由状態では、内側ハウジング６０は、可動域における中間位置に位置し、上下左右前後の何れの方向にも移動可能となっている。
【００７１】
（収容下部７３）
図９に示すように、収容下部７３は、幅方向に並んで形成された複数（６つ）の端子収容部７３（収容下部７３と同じ参照符号を用いる。）から構成されている。複数の端子収容部７３は、互いに区画されており、互いに同一の構造である。
【００７２】
端子収容部７３は、上方の収容上部７２側に開放されると共に前後方向に延びる空間であり、底壁７３Ｕと左右一対の側壁７３Ｓとを有する。
【００７３】
図８に示すように、前後方向に延びる端子収容部７３には、後方から前方へ向けて、電線８０、端子２０の電線接続部３１、基端側被保持部３２、バネ部４０がこの順に配置される。
【００７４】
端子収容部７３の後部（電線配置部７３Ｃ）には、電線８０と電線接続部３１が配置される。
図１１は、図８の１１−１１線断面図である。図１１に示すように、電線配置部７３Ｃの上端部における幅寸法Ｗ１は、端子２０の電線接続部３１の幅寸法よりも小さく形成されており、電線接続部３１は、電線配置部７３Ｃの上端部よりも下側の部分に配置されるようになっている。また、電線配置部７３Ｃの上端部の幅寸法Ｗ１は、バネ部４０の幅寸法よりも大きく形成されている。これにより、電線配置部７３Ｃの上端部は、バネ部４０（の第二曲部４５）が前後方向に通過可能になっている。
また、電線配置部７３Ｃの下端部における幅寸法Ｗ２は、上下方向中間部の幅寸法Ｗ３よりも拡大されており、その幅寸法Ｗ２は、基端側被保持部３２の係止突起３２Ｋも含めた幅寸法よりも大きくなっている。これにより、電線配置部７３Ｃの下端部は、電線接続部３１よりも大きな幅寸法の基端側被保持部３２が前後方向に通過可能になっている。
【００７５】
端子収容部７３の前後方向中間部（端子保持部７３Ｂ）には、端子２０の基端側被保持部３２が保持される。
図１２は、図８の１２−１２線断面図である。図１２に示すように、端子保持部７３Ｂの下端部の幅寸法Ｗ４は、電線配置部７３Ｃの下端部の幅寸法Ｗ２（図１１参照）よりも縮小されており、その幅寸法Ｗ４は、基端側被保持部３２の係止突起３２Ｋも含めた幅寸法よりも小さくなっている。これにより、基端側被保持部３２を端子保持部７３Ｂの下端部に押し込むことで、端子保持部７３Ｂの下端部における左右の側壁７３Ｓに係止突起３２Ｋが食い込むようになっている。このようにして、基端側被保持部３２が外側ハウジング７０に圧入される。
電線配置部７３Ｃの下端部より上側の幅寸法Ｗ５は、バネ部４０が前後方向に通過可能な寸法になっており、具体的には、電線配置部７３Ｃの上端部の幅寸法Ｗ１と同一である。
【００７６】
端子収容部７３の前部（バネ配置部７３Ａ）には、端子２０のバネ部４０が配置される。バネ配置部７３Ａは、下端から上端まで、同一の幅寸法に形成されており、その幅寸法は、電線配置部７３Ｃの下端部以外の幅寸法Ｗ５や電線配置部７３Ｃの上端部の幅寸法Ｗ１と同一である。
【００７７】
（治具挿入孔７６）
図８に示すように、収容下部７３の底壁７３Ｕには、底壁７３Ｕを上下方向に貫通する治具挿入孔７６が形成されている。治具挿入孔７６は、端子保持部７３Ｂのすぐ後側かつ電線配置部７３Ｃのすぐ前側に形成されている。図１３に示すように、端子保持部７３Ｂに対して、端子２０の基端側被保持部３２をある程度圧入した状態で治具挿入孔７６から治具を挿入することで、治具によって基端側被保持部３２の圧入肩部３２Ｒを押し込むことができるようになっている。
【００７８】
（相手側ハウジング９２との嵌合）
図１４、１５に示すように、外側ハウジング７０は、接続対象物９４を保持する相手側ハウジング９２に嵌合するように構成されている。具体的には、外側ハウジング７０の上面側に被係止部７７が形成されており、相手側ハウジング９２の嵌合口９５に対して外側ハウジング７０を前面側から差し込むことで、図１５に示すように、相手側ハウジング９２に外側ハウジング７０が嵌合する。これにより、複数の接続対象物９４と複数の端子２０とが導通接続する。
【００７９】
＜作用効果＞
次に、本実施形態の作用効果について説明する。
【００８０】
本実施形態に係るコネクタ１０では、端子２０が接続対象物９４と導通接続した状態で、図１５に示すように、外側ハウジング７０が相手側ハウジング９２と嵌合した状態となる。そのため、相手側ハウジング９２に対して外側ハウジング７０ががたつく可能性がある。
ここで、本実施形態に係るコネクタ１０では、図４に示すように、端子２０の先端部５０が、コネクタ前後方向に挿抜される接続対象物９４と接触する接触部５２と、内側ハウジング６０に保持される先端側被保持部５１と、を有している。つまり、端子２０の先端部５０は、接続対象物９４と接触すると共に内側ハウジング６０に保持される。そして、図８や図１０に示すように、先端部５０を保持する内側ハウジング６０が、外側ハウジング７０に対して所定の可動域でコネクタ前後、左右、上下方向に移動可能となる。
このため、外側ハウジング７０が相手側ハウジング９２に対してガタついた場合でも、内側ハウジング６０が、外側ハウジング７０に対して移動することで、接続対象物９４と接触部５２との接点摺動を抑制することができる。
【００８１】
また、端子２０の基端部３０は、電線８０と接続する電線接続部３１と、外側ハウジング７０に保持される基端側被保持部３２と、を有している。つまり、端子２０の基端部３０は、電線８０と接続すると共に外側ハウジング７０に保持される。そのため、電線８０のバタつきによる影響が端子２０の基端部３０に伝わる。
ここで、本実施形態に係るコネクタ１０では、端子２０が、先端部５０と基端部３０との間に位置するバネ部４０を有している。
このため、電線８０がバタつき、端子２０を押し込んだりひっぱったりしても、基端部３０と先端部５０との間に位置するバネ部４０が弾性変形することで、電線８０のバタつきから端子２０の先端部５０が影響を受けることを抑制することができる。よって、電線８０のバタつきによる接点摺動を抑制することができる。
【００８２】
また、本実施形態に係るコネクタ１０では、図７、８に示すように、コネクタ１０の組立時、外側ハウジング７０のコネクタ後側の面（後面７０Ｒ）に形成されたハウジング組込口７２ＲＲからハウジング収容部７２Ｆに向けて内側ハウジング６０を押し込むことで、内側ハウジング６０を外側ハウジング７０に収容させることができる。
この際、内側ハウジング６０の被係止部６５は、一旦は弾性変形し（図１３参照）、ハウジング収容部７２Ｆに形成された係止部７５に到達すると、弾性変形が解消されて係止部７５に係止される。内側ハウジング６０の被係止部６５が外側ハウジング７０の係止部７５に係止されることで、内側ハウジング６０のコネクタ後方向の移動範囲が制限される（つまり、内側ハウジング６０が外側ハウジング７０から抜け止めされる）ようになっている。
【００８３】
また、本実施形態に係るコネクタ１０では、基端側被保持部３２は、外側ハウジング７０に圧入されることで外側ハウジング７０に保持される。ここで、基端側被保持部３２を外側ハウジング７０に圧入するためには、治具等によって端子２０を押し込む必要がある。
ここで、端子２０の電線接続部３１を押し込むことで圧入することが考えられる。しかし、電線接続部３１では治具等で押し込む際に押す部分（圧入肩部）が小さくなりやすく、また、電線接続部３１は電線８０にかしめた部分となるため平坦でないことがある。そのため、正確に圧入することが困難である。また、圧入により、かしめた部分が変形、損傷するおそれもある。
そこで、本実施形態に係るコネクタ１０では、電線接続部３１とバネ部４０との間に基端側被保持部３２が位置しており、この基端側被保持部３２が、当該基端側被保持部３２を圧入する際にコネクタ後方向からコネクタ前方向へ向けて押し込むための圧入肩部３２Ｒを有している。このため、基端側被保持部３２を適切に圧入することができる。
【００８４】
また、本実施形態に係るコネクタ１０では、基端側被保持部３２の外側ハウジング７０に対する圧入が容易である。
すなわち、本実施形態に係るコネクタ１０では、電線接続部３１とバネ部４０との間に基端側被保持部３２が位置しているので、基端側被保持部３２の圧入肩部３２Ｒを電線８０側から押し込もうとしても、電線接続部３１が邪魔になりやすい。そこで、本実施形態に係るコネクタ１０では、外側ハウジング７０が、基端部３０を収容する基端収容部（電線配置部７３Ｃや端子保持部７３Ｂを含む部分）の底面（底壁７３Ｕ）を貫通し、基端収容部と外側ハウジング７０の外部空間とを連通する治具挿入孔７６を有している。このため、治具挿入孔７６から治具等を挿入することで、電線接続部３１に邪魔をされずに、基端側被保持部３２の圧入肩部３２Ｒを押し込むことができる。
【００８５】
また、本実施形態に係るコネクタ１０では、図８に示すように、接触部５２の挿抜軸ＡＸ１が、電線接続部３１の電線接続軸ＡＸ２と略平行で、かつ、コネクタ前後方向に直交する方向の位置がずれているため、コネクタ１０の前後寸法の拡大を抑制しつつバネ部４０の変形のしやすさを確保することができる。さらに、挿抜軸ＡＸ１と電線接続軸ＡＸ２とがずれた方向が、複数の端子２０の列間方向（コネクタ幅方向）に直交する方向（コネクタ上下方向）であるため、コネクタ１０の幅寸法の拡大も抑制することができる。
【００８６】
また、本実施形態に係るコネクタ１０では、挿抜軸ＡＸ１と電線接続軸ＡＸ２との位置がずれていることに加えて、基端部３０から先端部５０へと延びるバネ部４０が、コネクタ後方向へ折り返された折返し部（第一曲部４３、第二直線部４４、第二曲部４５）を含んで構成されている。このため、バネ部４０の変形しやすさをより一層確保することができる。
【００８７】
また、本実施形態では、「折返し部」のコネクタ前方向の端部（第一曲部４３）が、端子２０の接触部５２における接点Ｐ（図８参照）と同程度までコネクタ前側に延ばされているため、バネ部４０の変形をより一層確保しやすい。さらに、端子２０の「折返し部」のコネクタ後方向の端部（第二曲部４５）が、内側ハウジング６０よりも後側に配置される。このため、バネ部４０の全長を更に長く設定できるので、バネ部４０の変形しやすさを更に確保しやすい。
【００８８】
〔上記実施形態の補足説明〕
なお、上記実施形態では、端子２０の基端側被保持部３２が外側ハウジング７０に圧入されることで保持される例を説明したが、本発明はこれに限定されず、その他の保持方法を用いることもできる。また、端子２０の先端側被保持部５１が内側ハウジング６０に圧入されることで保持される例を説明したが、本発明はこれに限定されず、その他の保持方法を用いることもできる。
【００８９】
また、上記実施形態では、内側ハウジング６０が外側ハウジング７０に収容された状態で、内側ハウジング６０が、外側ハウジング７０に対して、コネクタ前後、左右、上下の方向に所定の可動域で移動可能とされる例を説明した。しかし、本発明はこれに限定されない。内側ハウジングが外側ハウジングに対して少なくともコネクタ前後方向に移動可能であればよく、コネクタ上下方向やコネクタ左右方向では実質的に移動不能に構成されてもよい。
【００９０】
また、上記実施形態では、挿抜軸ＡＸ１と電線接続軸ＡＸ２とのコネクタ上下方向の位置がずれている例を説明したが、本発明はこれに限定されず、コネクタ幅方向（複数の端子の列間方向）に位置がずれていてもよい。また、例えば、挿抜軸ＡＸ１と電線接続軸ＡＸ２とが実質的に一直線上に配置されていてもよい。
【００９１】
また、上記実施形態では、端子保持部７３Ｂに端子２０の基端側被保持部３２をある程度圧入した状態で治具挿入孔７６から治具を挿入することで、治具によって基端側被保持部３２の圧入肩部３２Ｒを押し込むことができる例を説明した。しかし、例えば、治具挿入孔７６を実施形態のものよりも後方へ向けて大きく形成することで、端子保持部７３Ｂが全く圧入されていない状態でも、治具挿入孔７６に挿入した治具により、基端側被保持部３２の圧入肩部３２Ｒを押し込むことができるように構成してもよい。
【符号の説明】
【００９２】
１０   コネクタ
２０   端子
３０   基端部
３１   電線接続部
３２   基端側被保持部
３２Ｒ 圧入肩部
４０   バネ部
４３   第一曲部（折返し部）
４４   第二直線部（折返し部）
４５   第二曲部（折返し部）
５０   先端部
５１   先端側被保持部
５２   接触部
６０   内側ハウジング
６５   被係止部
７０   外側ハウジング
７０Ｒ 後面（外側ハウジングのコネクタ後側の面）
７１   収容部
７２Ｆ ハウジング収容部
７２ＲＲ      ハウジング組込口
７３Ｂ 端子保持部（基端収容部）
７３Ｃ 電線配置部（基端収容部）
７３Ｕ 底壁（底面）
７５   係止部
７６   治具挿入孔
８０   電線
９２   相手側ハウジング
９４   接続対象物
ＡＸ１ 挿抜軸
ＡＸ２ 電線接続軸
【図１】
2018206466.tif 000003
【図２】
2018206466.tif 000004
【図３】
2018206466.tif 000005
【図４】
2018206466.tif 000006
【図５】
2018206466.tif 000007
【図６】
2018206466.tif 000008
【図７】
2018206466.tif 000009
【図８】
2018206466.tif 000010
【図９】
2018206466.tif 000011
【図１０】
2018206466.tif 000012
【図１１】
2018206466.tif 000013
【図１２】
2018206466.tif 000014
【図１３】
2018206466.tif 000015
【図１４】
2018206466.tif 000016
【図１５】
2018206466.tif 000017